(57)【要約】【課題】  ガイドワイヤのコイル体に親水性コーティング剤を施した場合においても、親水性コーティング剤によってコイル素線の動きが阻害されず、コイル体の柔軟性を確保したガイドワイヤを提供することを課題とする。【解決手段】  ガイドワイヤ１は、コアシャフト２と、コアシャフト２の外周にコイル素線３１を巻回したコイル体３と、コイル体３の少なくとも一部を被覆する親水性コーティング剤５とから構成され、この親水性コーティング剤５は、コイル体３を構成する少なくとも一部のコイル素線３１間に、間隙３２が形成されるように、被覆されている。【選択図】図３
2011212034.tif 000002
【特許請求の範囲】
【請求項１】
コアシャフトと、
そのコアシャフトの外周に素線を巻回したコイル体と、
そのコイル体の少なくとも一部分を被覆した親水性コーティング剤と
を備えたガイドワイヤであって、
前記親水性コーティング剤は、前記コイル体の少なくとも一部分の素線間に間隙を有するように被覆されていることを特徴とするガイドワイヤ。
【請求項２】
請求項１に記載のガイドワイヤにおいて、前記素線及び前記親水性コーティング剤が形成する断面の中心は、前記親水性コーティング剤が被覆された素線の断面の中心に対して、外側表面方向に変位していることを特徴とするガイドワイヤ。
【請求項３】
請求項１又は２に記載のガイドワイヤにおいて、前記素線に被覆された親水性コーティング剤は、側面方向の厚さが外側表面方向の厚さよりも薄いことを特徴とするガイドワイヤ。
【請求項４】
請求項１から請求項３のいずれか一項に記載のガイドワイヤにおいて、前記素線に被覆された親水性コーティング剤は、内側表面方向の厚さが側面方向の厚さよりも薄いことを特徴とするガイドワイヤ。
【発明の詳細な説明】
【技術分野】
【０００１】
本発明は、潤滑性表面を形成するガイドワイヤに関する。
【背景技術】
【０００２】
従来、治療や検査のために、血管、消化管、尿管等の管状器官や体内組織に挿入して使用されるカテーテル等を案内するためのガイドワイヤにおいて、体内組織との摩擦を低減するために、その表面に親水性コーティング剤を設けたものが幾つか提案されている。
【０００３】
例えば、特許文献１には、金属製の芯線４とその芯線４の端部に設けられたコイル（第１コイル５及び第２コイル６）とを含む用具全体の外周に潤滑性被膜７（親水性コーティング剤）を設けた医療用具が記載されている。
また、特許文献２には、ワイヤ本体４の先端部に相互に密着して巻回された金属コイル２の表面に親水性ポリマー層３Ｂ（親水性コーティング剤）を設けた医療用挿通器具が記載されている。
【先行技術文献】
【特許文献】
【０００４】
【特許文献１】特開２００４−２１５７１０
【特許文献２】特開２００８−２３７６２１
【発明の概要】
【発明が解決しようとする課題】
【０００５】
しかしながら、特許文献１や特許文献２に記載されているように、単に親水性コーティング剤を医療用具等に施しただけでは、コイルを形成するコイル素線の間に親水性コーティング剤が侵入して、コイル素線の動きが阻害される虞があった。また、親水性コーティング剤を施した部分が硬くなってしまい、ガイドワイヤの先端部の柔軟性が損なわれ、ガイドワイヤを操作する際に血管等を穿孔する虞があった。
【０００６】
本発明は、かかる従来の問題点に鑑みてなされたものであり、親水性コーティング剤を施した場合においても、コイル素線の動きを阻害せずコイル体の柔軟性を確保したガイドワイヤを提供することを目的とする。
【課題を解決するための手段】
【０００７】
＜１＞第１の発明は、コアシャフトと、そのコアシャフトの外周に素線を巻回したコイル体と、そのコイル体の少なくとも一部分を被覆した親水性コーティング剤とを備えたガイドワイヤであって、前記親水性コーティング剤は、前記コイル体の少なくとも一部分の素線間に間隙を有するように被覆されていることを特徴とする。
【０００８】
＜２＞第２の発明は、第１の発明において、前記素線及び前記親水性コーティング剤が形成する断面の中心は、前記親水性コーティング剤が被覆された素線の断面の中心に対して、外側表面方向に変位していることを特徴とするガイドワイヤ。
【０００９】
＜３＞第３の発明は、第１又は第２の発明において、前記素線に被覆された親水性コーティング剤は、側面方向の厚さが外側表面方向の厚さよりも薄いことを特徴とする。
【００１０】
＜４＞第４の発明は、第１から第３のいずれか一つの発明において、前記素線に被覆された親水性コーティング剤は、内側表面方向の厚さが側面方向の厚さよりも薄いことを特徴とする。
【発明の効果】
【００１１】
＜１＞第１の発明のガイドワイヤは、上述したように親水性コーティング剤がコイル体の少なくとも一部分の素線間に間隙を有するように被覆されているので、親水性コーティング剤を施した場合においても、コイル素線の動きを阻害せずコイル体の柔軟性を確保することができる。
【００１２】
＜２＞第２の発明のガイドワイヤは、素線及び親水性コーティング剤が形成する断面の中心が、被覆された素線の断面の中心に対して外側表面方向に変位しているため、コイル体の柔軟性を確保しつつ、親水性コーティング剤による滑り性の耐久性を向上させることができる。
【００１３】
第３の発明のガイドワイヤは、素線に被覆された親水性コーティング剤の側面方向の厚さが、外側表面方向の厚さよりも薄いので、コイル素線間の間隙をさらに広くすることができ、コイル素線の動きをより自由にすることができる。また、コイル体を屈曲させた際、隣接するコイル素線同士が接触しても親水性コーティング剤の薄い部分が当接するため、コイル体の柔軟性をさらに確保することができる。
【００１４】
第４の発明のガイドワイヤは、素線に被覆された親水性コーティング剤の内側表面方向の厚さが側面方向の厚さよりも薄いので、コアシャフトとコイル体との間の空間を十分に確保することができるので、コイル体の柔軟性をさらに高めることができる。
【図面の簡単な説明】
【００１５】
【図１】本発明のガイドワイヤを示す縦断面図である。
【図２】本発明の第１の実施形態のガイドワイヤの親水性コーティング剤が被覆されたコイル素線を拡大した部分拡大図である。
【図３】本発明の第２の実施形態のガイドワイヤの親水性コーティング剤が被覆されたコイル素線を拡大した部分拡大図である。
【図４】第２の実施形態の変形例を示す図である。
【発明を実施するための形態】
【００１６】
以下に、本発明の第１の実施形態のガイドワイヤを図１及び図２を参照して説明する。
【００１７】
図１は、本発明のガイドワイヤを示す縦断面図であり、図２は図１に記載のＡ部を拡大した部分拡大図である。
尚、図１では、説明の都合上、左側を「基端」、右側を「先端」として説明する。
また、図１では、理解を容易にするため、ガイドワイヤの長さ方向を短縮し、全体的に模式的に図示しているため、全体の寸法は実際とは異なる。
【００１８】
図１において、ガイドワイヤ１は、先端に向かって細径化されたコアシャフト２と、そのコアシャフト２の先端部を覆うコイル体３とから構成され、コアシャフト２の先端とコイル体３の先端とは最先端部４において固着され、また、最先端部４から基端側方向において、コアシャフト２とコイル体３はロウ付け部９（２ヶ所）によって固着されている。
【００１９】
コアシャフト２の構成材料は特に限定されず、例えば、ステンレス合金、超弾性合金、コバルト系合金、ピアノ線、又はタングステン等の材料から選択することができる。
【００２０】
また、コアシャフト２の先端部に固着されているコイル体３の構成材料は、例えば、放射線不透過性金属である白金、金、タングステン、放射線透過性金属であるステンレス合金、超弾性合金、コバルト系合金、ピアノ線等の材料から選択することができる。
【００２１】
コアシャフト２の先端とコイル体３の先端とを固着する最先端部４及びロウ付け部９の構成材料は、例えば、アルミニウム合金ロウ、銀ロウ、金ロウ、亜鉛、Ｓｎ−Ｐｂ合金、Ｐｂ−Ａｇ合金、Ｓｎ−Ａｇ合金等で構成することができる。
【００２２】
また、図１において、コイル体３を形成するコイル素線３１の表面には親水性コーティング剤５が被覆されており、この親水性コーティング剤５はコイル素線３１間に間隙３２を形成するように被覆されている。
【００２３】
親水性コーティング剤５が被覆されたコイル素線３１について、図２を用いて詳細に説明する。コイル素線３１は、外側表面方向に相当する外側表面部３１１（本実施形態では、コアシャフト２の中心軸に平行な線に対して時計回り方向及び反時計回り方向に４５℃傾斜させた線を仮想線とし、それら２つの仮想線の交点をコイル素線の断面中心に重ねた場合に、各仮想線によって仕切られる４つの領域のうちコアシャフト２から最も離間した領域を外側表面部３１１とする。）と、内側表面方向に相当する内側表面部３１３（本実施形態では、コアシャフト２の中心軸に平行な線に対して時計回り方向及び反時計回り方向に４５℃傾斜させた線を仮想線とし、それら２つの仮想線の交点をコイル素線の断面中心に重ねた場合に、各仮想線によって仕切られる４つの領域のうちコアシャフト２から最も近接した領域を内側表面部３１３とする。）と、外側表面部３１１と内側表面部３１３の間に位置する側面方向に相当する側面部３１２（本実施形態では、コアシャフト２の中心軸に平行な線に対して時計回り方向及び反時計回り方向に４５℃傾斜させた線を仮想線とし、それら２つの仮想線の交点をコイル素線の断面中心に重ねた場合に、各仮想線によって仕切られる４つの領域のうち外側表面部３１１及び内側表面部３１３以外の２つの領域を側面部３１２とする。）とを有する。
【００２４】
上述したように隣接するコイル素線３１の側面部３１２間に間隙３２が形成されるように、親水性コーティング剤５がコイル素線３１に被覆されている。
また、親水性コーティング剤５は、この外側表面部３１１、側面部３１２、及び内側表面部３１３にわたって被覆されており、外側表面部３１１、側面部３１２、及び内側表面部３１３に被覆された親水性コーティング剤５の厚さは同じである。
【００２５】
このように、隣接するコイル素線３１の側面部３１２間に間隙３２を形成するように親水性コーティング剤５が被覆されているため、親水性コーティング剤を施した場合においても、コイル素線の動きを阻害せずコイル体３の柔軟性を確保することができる。
【００２６】
また、親水性コーティング剤５が間隙３２を有する様に被覆されることで、ガイドワイヤ１をエチレンオキシド等のガスで滅菌する際に、コイル体３の間隙３２からガスがコイル内部に浸入し、コイル体３の内部を効果的に滅菌することができるとともに、滅菌後の排ガスも容易に行えることができる。
【００２７】
コイル素線３１間の間隙３２を有する親水性コーティング剤５は、コイル体３の先端部３５（図１参照）に形成することもできる。
【００２８】
この場合、間隙３２がコイル体３の先端部３５に形成されるので、親水性による滑り性を付与しつつ、コイル体３の先端部３５の柔軟性を確保することができる。
【００２９】
また、間隙３２をコイル体３の全長にわたって形成することで、コイル体３が全長にわたって柔軟になり、コイル体３全体の柔軟性をさらに確保することもできる。
【００３０】
コイル素線３１の表面を被覆している親水性コーティング剤５の材料は、ポリビニルアルコール、ポリビニルピロリドン、ポリエチレングリコール、ポリアクリルアミド、ポリメチルアクリルアミド、ポリ（２−ハイドロキシエチルメタクリレート）、ポリ（Ｎ−ハイドロキシエチルアクリルアミド）等のノニオン系親水性高分子、ポリアクリル酸、ポリメタクリル酸、ポリマレイン酸、カルボキシメチルセルロース、ヒアルロン酸、ポリ（２−アクリルアミド−２メチルプロパンスルホン酸）等のアニオン系親水性高分子や、ポリエチレンイミン、ポリアリルアミン、ポリビニルアミン等のカチオン性親水性高分子を用いることができる。また、これらの親水性高分子を複数用いてもよい。尚、イオン性官能基を複数用いる場合は、イオンコンプレックスの形成を防ぐため、アニオン系かカチオン系のいずれかに統一することが好ましい。
【００３１】
また、親水性コーティング剤５の材料として、上記したポリマーを構成するモノマーをラジカル重合して得られるポリマーを用いることもできる。モノマーから重合することで、膜厚の調整が管理し易くなると共に、数種のモノマーを組み合わせることで、共重合体の親水性を調整することもできる。尚、重合を行う場合は、ニトロキシル法、原子移動ラジカル重合、又は可逆的付加開裂連鎖移動重合等の分子量分布を制御し易いリビングラジカル重合を行うことが好ましい。リビングラジカル重合法を用いることで、コイル素線３１上の親水性コーティング剤５の厚さを容易に制御することができる。
【００３２】
また、親水性コーティング剤５の成分として、親水性高分子と疎水性高分子とを混合することで、水分や血液等の体液と接触した時に、疎水性高分子の作用によって、疎水性高分子から水分が排除され、親水性高分子に水分が集まるようになる。このため、親水性コーティング剤５の滑り性を持続させることができる。
また、親水性高分子を親水性モノマーと疎水性モノマーの共重合体から形成することでも、親水性高分子と疎水性高分子の混合の場合と同じ理由によって、滑り性を持続させることができる。
【００３３】
また、親水性コーティング剤５の成分として、アニオンかカチオンのいずれか一方のイオンから形成したイオン性高分子から成る親水性高分子を用いることもできる。このようにイオン性高分子を用いることで水分や血液等の体液との接触時には、イオン性高分子自身の静電反発作用によって、親水性高分子が分散しようとするため、親水性コーティング剤５の柔軟性を向上させ、親水性コーティング剤５が被覆されたコイル体３の柔軟性をさらに確保することができる。また、分散しようとする親水性高分子との間に僅かな隙間が生じて、この隙間に水分子が入り込むので、親水性コーティング剤５の保水性を向上させ、滑り性を持続させることができる。
【００３４】
また、上述した親水性コーティング剤５に親水性を持続させるために、架橋による親水性高分子のゲルを用いることもできる。
【００３５】
この親水性高分子のゲル化によって、ゲル内部に水分を溜め込むことができるので、親水性コーティング剤５の滑り性を持続させることができる。また、ゲル化によって、親水性コーティング剤５の機械的強度が増加するので、親水性コーティング剤５の剥離を防止することができる。
【００３６】
上記の本発明に用いられる親水性コーティング剤５中の親水性高分子の形態としては、直鎖状、枝状、又は球状（デンドリマーを含む）の親水性高分子をコイル体３に固定する形態や、親水性高分子の一つの末端がコイル体３の金属表面に固定されたポリマーブラシのような形態から選択することができる。
【００３７】
この中で特に好ましいのは、親水性高分子の形態をポリマーブラシとすることである。ポリマーブラシを用いることで、分子量の制御が行い易くなるため、コイル体３の間隙３２を有効に形成することができ、コイル体３の柔軟性を的確に確保することができる。
【００３８】
尚、直鎖状、枝状、球状（デンドリマーを含む）の親水性高分子をコイル体３に固定する方法としては、上述した親水性高分子が溶解した溶液中にコイル体３を浸漬する方法、ハケやブラシを用いて溶液をコイル体に被覆する方法、又は、スプレーコーティングによる方法等、公知の方法が挙げられる。
【００３９】
上述した親水性高分子が溶解した溶液を調製する際の溶媒としては、極性の高い溶媒であればよく、例えば、水、メタノール、エタノール、Ｎ−プロパノール、アセトニトリル、イソプロピルアルコール、ジメチルスルホキシド、ジメチルアセトアミド、ジメチルホルムアミド、又はＮ−メチル−２−ピロリドン等から選択することができる。
【００４０】
また、ポリマーブラシを形成する方法としては、グラフティング−フロム（grafting-from）法やグラフティング−トゥ（grafting-to）法等の名称で呼ばれる公知の技術によって形成することができる。これらの方法は特に限定されることはなく、それぞれの機能特性に応じて使い分けることができる。
【００４１】
次に、本発明の第２の実施形態のガイドワイヤを、図３を参照して第１の実施形態と異なる点を中心に説明する。
【００４２】
図３は、親水性コーティング剤１５が被覆されたコイル素線３１を拡大した部分拡大図である。
【００４３】
図３において、親水性コーティング剤１５は、隣接するコイル素線３１の側面部３１２間に間隙３２を形成するように被覆されている。
【００４４】
また、親水性コーティング剤１５は、コイル素線３１及び親水性コーティング剤１５が形成する断面の中心１５ａがコイル素線３１の断面中心３１ａよりも外側表面部３１１方向に変位するように、コイル素線３１の外周に被覆されており、親水性コーティング剤１５の厚さは外側表面部３１１＞側面部３１２＞内側表面部３１３の順となっている。
【００４５】
このように、親水性コーティング剤１５を外側表面部３１１方向に凸形状となる形態とすることにより、外側表面部３１１における親水性コーティング剤１５の被覆厚が増加するため、長い時間にわたって親水性を付与して、ガイドワイヤ１の滑り性の耐久性を向上させることができる。
【００４６】
さらに、内側表面部３１３の親水性コーティング剤１５が薄く被覆されているので、コアシャフトとコイル体３との間の空間を十分に確保することができ、コイル体３の柔軟性をさらに高めることができる。
【００４７】
このような親水性コーティング剤１５の形態は、例えば、以下のような方法によって形成することができる。
【００４８】
親水性コーティング剤１５を被覆する前に、親水性コーティング剤１５とコイル素線３１との親和性を高めるために、コイル体３の外周に紫外線を照射し、コイル素線３１の表面を活性化する。
【００４９】
コイル体３の外側方向から紫外線を照射すると、コイル素線３１の外側表面部３１１が最も活性化され、次いで、側面部３１２が活性化される。側面部３１２は、外側表面部３１１よりも紫外線照射量が少ないので、側面部３１２の活性度は外側表面部３１１よりも小さくなる。また、内側表面部３１３は照射光が届かないため、活性化されない。この活性化の差に起因して、側面部３１２の活性度は外側表面部３１１側から内側表面部３１３側にかけて減少する形態をとる。
【００５０】
この活性化されたコイル体３に親水性コーティング剤１５を被覆すると、親水性コーティング剤１５は活性化された部分に多く結合するので、親水性コーティング剤１５の密度が、外側表面部３１１＞側面部３１２＞内側表面部３１３の順に低くなる。また、この密度の差に順じて、親水性コーティング剤１５の厚さも変化する。さらに、側面部３１２においては、外側表面部３１１側から内側表面部３１３側にかけて漸減するように、親水性コーティング剤１５の密度が減少し、これに順じて親水性コーティング剤１５の膜厚も減少している。
【００５１】
この結果、親水性コーティング剤１５の外側表面部３１１の滑り性は、側面部３１２及び内側表面部３１３よりも高く、また、外側表面部３１１の親水性コーティング剤１５の滑り性を長く持続させることができる。
【００５２】
また、第２の実施形態の変形例として、紫外線照射前にコイル素線３１の側面部３１２を樹脂や金属から形成した遮蔽部材などで遮蔽して、その後、紫外線を照射することで、図４に示すように側面部３１２の親水性コーティング剤１５の厚さを内側表面部３１３と同じ程度に薄くすることができる。これによって、コイル体３の間隙３２をさらに効率良く形成することが可能となり、コイル体３の柔軟性をさらに確保することができる。
【００５３】
尚、図１〜図４に記載の親水性コーティング剤５、１５は、ガイドワイヤ１の長軸方向のコイル素線３１の一部に被覆しても良く、ガイドワイヤ１の長軸方向のコイル素線３１の全体に被覆しても良い。
【符号の説明】
【００５４】
１        ガイドワイヤ
２        コアシャフト
３        コイル体
３１      コイル素線
３１ａ    コイル素線断面中心
３１１    外側表面部
３１２    側面部
３１３    内側表面部
４        最先端部
５、１５  親水性コーティング剤
１５ａ    コイル素線及び親水性コーティング剤断面中心
【図１】
2011212034.tif 000003
【図２】
2011212034.tif 000004
【図３】
2011212034.tif 000005
【図４】
2011212034.tif 000006